(57)【要約】太陽電池付き屋内用具１は、家具及び内装の一方である屋内用具１Ａと、屋内用具１Ａに設けられた色素増感太陽電池３０と、を備える。
2017099114.tif 000002
【特許請求の範囲】
【請求項１】
家具及び内装の一方である屋内用具と、
前記屋内用具に設けられた色素増感太陽電池と、
を備えることを特徴とする太陽電池付き屋内用具。
【請求項２】
前記色素増感太陽電池は曲面状に形成され、前記屋内用具の外面上に取付けられていることを特徴とする請求項１に記載の太陽電池付き屋内用具。
【請求項３】
前記屋内用具は壁紙であり、
前記壁紙上に前記色素増感太陽電池が取付けられ、
前記色素増感太陽電池上に取付けられ、光透過性を有する保護部材を備えることを特徴とする請求項１に記載の太陽電池付き屋内用具。
【請求項４】
前記屋内用具は壁紙であり、
前記壁紙上に前記色素増感太陽電池が取付けられ、
前記壁紙を壁に取付けるとともに、前記色素増感太陽電池に電気的に接続された配線を収容する押さえ部材を備えることを特徴とする請求項１に記載の太陽電池付き屋内用具。
【請求項５】
前記屋内用具は棚であり、
前記棚の棚板上に前記色素増感太陽電池が取付けられ、
前記色素増感太陽電池の一対の端子間に生じる起電力を検出する検出部を備えることを特徴とする請求項１に記載の太陽電池付き屋内用具。
【請求項６】
前記屋内用具は棚であり、
前記棚の外面上に前記色素増感太陽電池が取付けられていることを特徴とする請求項１に記載の太陽電池付き屋内用具。
【請求項７】
前記屋内用具はカーテンであり、
前記カーテンの外面上に前記色素増感太陽電池が取付けられていることを特徴とする請求項１に記載の太陽電池付き屋内用具。
【請求項８】
レールと、
前記レールに沿って移動可能に支持され、前記カーテンが吊り下げられたランナーと、
前記色素増感太陽電池で生じた電力を送る送電配線と、を備え、
前記送電配線の少なくとも一部は、前記レール内に収容されていることを特徴とする請求項７に記載の太陽電池付き屋内用具。
【請求項９】
前記屋内用具は仕切りであり、
前記仕切りの縁部に設けられ、前記色素増感太陽電池に電気的に接続された配線を収容する縁部材を備えることを特徴とする請求項１に記載の太陽電池付き屋内用具。
【請求項１０】
前記屋内用具は仕切りであり、
前記色素増感太陽電池に電気的に接続された第一のコネクタ及び第二のコネクタを備え、
一対の前記太陽電池付き屋内用具を、一方の前記太陽電池付き屋内用具の前記仕切りの縁部と他方の前記太陽電池付き屋内用具の前記仕切りの縁部とが接触するように並べたときに、一方の前記太陽電池付き屋内用具の前記第一のコネクタと他方の前記太陽電池付き屋内用具の前記第二のコネクタとが電気的に接続されることを特徴とする請求項１に記載の太陽電池付き屋内用具。
【請求項１１】
前記色素増感太陽電池に電気的に接続され、前記色素増感太陽電池で生じた電力を貯える蓄電池を備えることを特徴とする請求項１から１０のいずれか一項に記載の太陽電池付き屋内用具。
【請求項１２】
レールと、
前記レールに沿って移動可能に支持され、前記カーテンが吊り下げられたランナーと、
前記ランナーを前記レールに沿って移動させる駆動部と、
前記色素増感太陽電池に電気的に接続され、前記色素増感太陽電池で生じた電力を貯える蓄電池と、
前記駆動部を制御する制御部と、
光を検出する受光面を有し、前記受光面で検出された前記光の強度が所定の閾値以上か否かを検出し、検出結果を前記制御部に送信する光センサと、
を備え、
前記制御部は、前記光センサから受信した前記検出結果に基づいて、前記蓄電池に貯えられた前記電力を前記駆動部に供給して、前記ランナーを前記レールに沿って移動させることを特徴とする請求項７に記載の太陽電池付き屋内用具。
【発明の詳細な説明】
【技術分野】
【０００１】
本発明は、太陽電池付き屋内用具に関する。
本願は、２０１５年１２月７日に、日本に出願された特願２０１５−２３８９６４号に基づき優先権を主張し、その内容をここに援用する。
【背景技術】
【０００２】
従来より、クリーンエネルギーの発電装置として、光電変換素子が注目されている。この種の光電変換素子は、発電される電力量を増加させるために、光の強度（強さ）が強い屋外に設置されるのが一般的である。
光電変換素子の一種として、特許文献１に記載されている色素増感太陽電池が注目されている。色素増感太陽電池は、屋内のような比較的光の強度が弱い場所に設置されても効率的に発電することができる。
屋内の光としては、使用者が使用している机を照らす必要な光がある一方で、使用者が使用していない机を照らす不要な光もある。
【先行技術文献】
【特許文献】
【０００３】
【特許文献１】特開２０１２−１４６３９６号公報
【発明の概要】
【発明が解決しようとする課題】
【０００４】
しかしながら、屋内の光は有効に利用されていない。【０００５】
本発明は、このような問題点に鑑みてなされたものであって、屋内の光で効率的に発電することができる太陽電池付き屋内用具を提供することを目的とする。
【課題を解決するための手段】
【０００６】
上記課題を解決するために、この発明は以下の手段を提案している。
本発明の太陽電池付き屋内用具は、家具及び内装の一方である屋内用具と、前記屋内用具に設けられた色素増感太陽電池と、を備えることを特徴としている。
この発明によれば、色素増感太陽電池により、屋内の光のような比較的強度が弱い光を用いても効率的に発電することができる。【０００７】
また、上記の太陽電池付き屋内用具において、前記色素増感太陽電池は曲面状に形成され、前記机の外面上に取付けられていてもよい。
この発明によれば、色素増感太陽電池が平坦である場合に比べて、色素増感太陽電池による発電量を増加させることができる。また、色素増感太陽電池に入射する光の入射角度が変化しても色素増感太陽電池の一部の要素が入射する光に対向しやすくなるため、光の入射角度により発電量が変化するのを抑制することができる。【０００８】
また、上記の太陽電池付き屋内用具において、前記屋内用具は壁紙であり、前記壁紙上に前記色素増感太陽電池が取付けられ、前記色素増感太陽電池上に取付けられ、光透過性を有する保護部材を備えてもよい。
この発明によれば、保護部材により色素増感太陽電池を保護することで色素増感太陽電池の耐久性を高めるとともに、保護部材により太陽電池付き屋内用具の外観を向上させることができる。【０００９】
また、上記の太陽電池付き屋内用具において、前記屋内用具は壁紙であり、前記壁紙上に前記色素増感太陽電池が取付けられ、前記壁紙を壁に取付けるとともに、前記色素増感太陽電池に電気的に接続された配線を収容する押さえ部材を備えてもよい。
この発明によれば、押さえ部材内に配線を収容して外部から配線が見えなくなるようにすることで、太陽電池付き屋内用具の外観を向上させることができる。【００１０】
また、上記の太陽電池付き屋内用具において、前記屋内用具は棚であり、前記棚の棚板上に前記色素増感太陽電池が取付けられ、前記色素増感太陽電池の一対の端子間に生じる起電力を検出する検出部を備えてもよい。
この発明によれば、色素増感太陽電池上に本等が置かれていない場合に比べて、色素増感太陽電池上に本等が置かれている場合には、色素増感太陽電池の一対の端子間に生じる起電力が低下する。この起電力の変化を検出部で検出することで、色素増感太陽電池上に本等が置かれているか否かを検出することができる。【００１１】
また、上記の太陽電池付き屋内用具において、前記屋内用具は棚であり、前記棚の外面上に前記色素増感太陽電池が取付けられていてもよい。
この発明によれば、色素増感太陽電池に接続された配線を棚の範囲内で引き回して色素増感太陽電池で生じた電力を供給する。棚の外部に配線が延びなくても済むため、配線の調節をすることなく太陽電池付き屋内用具を容易に移動させることができる。【００１２】
また、上記の太陽電池付き屋内用具において、前記屋内用具はカーテンであり、前記カーテンの外面上に前記色素増感太陽電池が取付けられていてもよい。
一般的に、カーテンは、レールに吊り下げられて外力が作用しないときには、波形になっている。波形のカーテンに色素増感太陽電池が取付けられていることで、所定の領域内に配置される色素増感太陽電池の受光面の面積を増加させ、色素増感太陽電池による発電量を増加させることができる。【００１３】
また、上記の太陽電池付き屋内用具において、レールと、前記レールに沿って移動可能に支持され、前記カーテンが吊り下げられたランナーと、前記色素増感太陽電池で生じた電力を送る送電配線と、を備え、前記送電配線の少なくとも一部は、前記レール内に収容されていてもよい。
この発明によれば、レール内に送電配線を収容して外部から送電配線が見えなくなるようにすることで、太陽電池付き屋内用具の外観を向上させることができる。【００１４】
また、上記の太陽電池付き屋内用具において、前記屋内用具は仕切りであり、前記仕切りの縁部に設けられ、前記色素増感太陽電池に電気的に接続された配線を収容する縁部材を備えてもよい。
この発明によれば、縁部材内に配線を収容して外部から配線が見えなくなるようにすることで、太陽電池付き屋内用具の外観を向上させることができる。【００１５】
また、上記の太陽電池付き屋内用具において、前記屋内用具は仕切りであり、前記色素増感太陽電池に電気的に接続された第一のコネクタ及び第二のコネクタを備え、一対の前記太陽電池付き屋内用具を、一方の前記太陽電池付き屋内用具の前記仕切りの縁部と他方の前記太陽電池付き屋内用具の前記仕切りの縁部とが接触するように並べたときに、一方の前記太陽電池付き屋内用具の前記第一のコネクタと他方の前記太陽電池付き屋内用具の前記第二のコネクタとが電気的に接続されてもよい。
この発明によれば、一対の太陽電池付き屋内用具を仕切りの縁部同士が接触するように並べると第一のコネクタと第二のコネクタとが電気的に接続されるため、一対の太陽電池付き屋内用具間を容易に電気的に接続することができる。【００１６】
また、上記の太陽電池付き屋内用具において、前記色素増感太陽電池に電気的に接続され、前記色素増感太陽電池で生じた電力を貯える蓄電池を備えてもよい。
この発明によれば、色素増感太陽電池が発電していないときでも、蓄電池に貯えられた電力を利用することができる。【００１７】
また、上記の太陽電池付き屋内用具において、レールと、前記レールに沿って移動可能に支持され、前記カーテンが吊り下げられたランナーと、前記ランナーを前記レールに沿って移動させる駆動部と、前記色素増感太陽電池に電気的に接続され、前記色素増感太陽電池で生じた電力を貯える蓄電池と、前記駆動部を制御する制御部と、光を検出する受光面を有し、前記受光面で検出された前記光の強度が所定の閾値以上か否かを検出し、検出結果を前記制御部に送信する光センサと、を備え、前記制御部は、前記光センサから受信した前記検出結果に基づいて、前記蓄電池に貯えられた前記電力を前記駆動部に供給して、前記ランナーを前記レールに沿って移動させてもよい。
この発明によれば、光センサの受光面で検出された光の強度が所定の閾値以上か否かに基づいて、ランナーに吊り下げられたカーテンを移動させることができる。
【発明の効果】
【００１８】
本発明の太陽電池付き屋内用具によれば、屋内の光で効率的に発電することができる。
【図面の簡単な説明】
【００１９】
【図１】本発明の実施形態の太陽電池付き屋内用具が配置されているオフィスの斜視図である。
【図２】同太陽電池付き屋内用具が太陽電池付き壁紙である本発明の第１実施形態の概要を示す断面図である。
【図３】同太陽電池付き壁紙の色素増感太陽電池の概要を示す断面図である。
【図４】本発明の第１実施形態の変形例の太陽電池付き壁紙の概要を示す断面図である。
【図５】本発明の第１実施形態の変形例の太陽電池付き壁紙の概要を示す断面図である。
【図６】本発明の第１実施形態の変形例の太陽電池付き壁紙の概要を示す断面図である。
【図７】同太陽電池付き屋内用具が太陽電池付き机である本発明の第２実施形態の概要を示す断面図である。
【図８】同太陽電池付き屋内用具が太陽電池付き仕切りである本発明の第３実施形態の概要を示す断面図である。
【図９】同太陽電池付き屋内用具が太陽電池付き仕切りである本発明の第４実施形態の概要を示す正面図である。
【図１０】同太陽電池付き屋内用具が太陽電池付き棚である本発明の第５実施形態の構成の概要を示す図である。
【図１１】同太陽電池付き屋内用具が太陽電池付き棚である本発明の第６実施形態の要部の概要を示す正面図である。
【図１２】同太陽電池付き屋内用具が太陽電池付き椅子である本発明の第７実施形態の概要を示す斜視図である。
【図１３】同太陽電池付き屋内用具が太陽電池付きシートである本発明の第８実施形態の概要を示す断面図である。
【図１４】本発明の実施形態の太陽電池付き屋内用具が配置されている和室の斜視図である。
【図１５】同太陽電池付き屋内用具が太陽電池付きカーテンである本発明の第９実施形態の概要を示す断面図である。
【図１６】同太陽電池付き屋内用具が太陽電池付きカーテンである本発明の第１０実施形態の概要を示す断面図である。
【図１７】同太陽電池付き屋内用具が太陽電池付き障子である本発明の第１１実施形態の概要を示す断面図である。
【発明を実施するための形態】
【００２０】
（第１実施形態）
以下、本発明に係る太陽電池付き屋内用具の第１実施形態を、図１から６を参照しながら説明する。
図１は、本実施形態の様々な太陽電池付き屋内用具（以下、電池付き用具と略称する）が配置されているオフィス（建物）２００を示している。図１では後述する色素増感太陽電池３０が取付けられている部分に、色素増感太陽電池３０の符号を省略してハッチングを付して示している。なお、床２０２にも色素増感太陽電池３０が取付けられているが、ハッチングを省略している。
【００２１】
オフィス２００内には、壁２０１上に、壁紙１Ａを用いた電池付き壁紙（電池付き用具）１、シート２Ａを用いた電池付きシート（電池付き用具）２、及び、ブラインド７Ａを用いた電池付きブラインド（電池付き用具）７が取付けられている。床２０２上に、机１１Ａを用いた電池付き机（電池付き用具）１１、仕切り１２Ａを用いた電池付き仕切り（電池付き用具）１２、棚１４Ａを用いた電池付き棚（電池付き用具）１４、椅子１６Ａを用いた電池付き椅子（電池付き用具）１６、及び、柱１７Ａを用いた電池付き柱（電池付き用具）１７が配置されている。
【００２２】
壁紙１Ａ及びシート２Ａは、屋内用具を構成する内装である。机１１Ａ、仕切り１２Ａ、棚１４Ａ、椅子１６Ａ、及び柱１７Ａは、屋内用具を構成する家具である。
内装は建築物等の内部の設備・装飾の意味であり、家具は日常の衣食住のための道具類の意味である。しかし、本明細書における家具は、柱等の屋内に露出している建具等も含む意味である。
具体的には、内装としては、壁紙、シート（ポスターなど）、床などが挙げられ、家具としては、机、仕切り、棚、椅子、柱、カーテン、ブラインド、障子、照明などが挙げられる。
以下では、まず壁紙１Ａを用いた電池付き壁紙１について説明する。
【００２３】
図２に示すように、電池付き壁紙１は、壁紙１Ａと、壁紙１Ａ上に取付けられた色素増感太陽電池３０と、色素増感太陽電池３０上に取付けられた保護フィルム（保護部材）４０とを備えている。なお、以下の説明で用いる図面は模式的なものであり、長さ、幅、及び厚みの比率、電池付き用具の構成・構造等は実際のものと同一とは限らず、適宜変更できる。各実施形態とその説明は一例であり、特に限定されない。
壁紙１Ａは、紙や樹脂でシート状の形成された公知の構成のものである。すなわち、壁紙１Ａにおける色素増感太陽電池３０を取付ける外面１Ａ１は、平坦である。
色素増感太陽電池３０の構成は、特に限定されない。図３に示すように、色素増感太陽電池３０は、例えば、透明基板３１上に積層された光電極３２と、対極３３と、電解液３４とを有している。
透明基板３１は、例えば、ポリエチレンナフタレート（ＰＥＮ）、ポリエチレンテレフタレート（ＰＥＴ）等の透明の熱可塑性樹脂材料を主材料とする樹脂材料、又はガラスで形成されている。
色素増感太陽電池３０は、透明基板３１が保護フィルム４０側となるように積層される。
【００２４】
光電極３２は、透明導電膜３２ａ、及び、多孔質層である多孔質酸化物半導体層３２ｂによって構成される。透明導電膜３２ａは、酸化インジウム／酸化スズ（ＩＴＯ）等の金属酸化物で形成されている。多孔質酸化物半導体層３２ｂは、例えば酸化チタン（ＴｉＯ２）で形成される。多孔質酸化物半導体層３２ｂの表面には、増感色素及びリチウムイオン若しくは亜鉛イオンが吸着されている。
電解液３４を構成する溶媒として従来公知の溶媒が適用可能であるが、リチウム塩又は亜鉛塩の溶解度が低い溶媒を用いることが好ましい。
【００２５】
対極３３は、基板３３ａに白金等の金属膜３３ｂが形成された構成を有する。基板３３ａは、透明基板３１と同様に形成されている。しかし、対極３３の構成はこれに限定されず、従来公知の対極が使用可能であり、金属板や導電性基板、導電性シート等が適用できる。
光電極３２の外縁部と対極３３の外縁部とは、封止材３６により連続的に貼着されている。封止材３６としては、接着剤、例えばホットメルト樹脂等が好適に用いられる。
このように構成された色素増感太陽電池３０は、可撓性を有するシート状に形成され、例えば光透過性を有する（半透明）の濃い赤色である。
色素増感太陽電池３０は、光電極３２側から光Ｌ１が入射することで発電する。
【００２６】
色素増感太陽電池３０には、光電極３２と対極３３との間で生じた電力を外部に取出すための図２に示す配線４２が電気的に接続されている。配線４２は、図示はしないが、銅等で形成された導電性を有する一対の芯線が、電気的絶縁性を有する被覆材で、一対の芯線が互いに短絡しないように覆われたものである。
保護フィルム４０は、光透過性を有する樹脂等の材料でシート状に形成されている。保護フィルム４０は、例えば光透過性を有する青色である。
壁紙１Ａ、色素増感太陽電池３０、及び保護フィルム４０は、互いに図示しない接着剤等で取付けられている。電池付き壁紙１は、平坦なシート状に形成されている。
【００２７】
電池付き壁紙１は、壁紙１Ａと壁２０１との間に設けられた図示しない接着剤、及び、押さえ部材４４により壁２０１に取付けられている。この壁２０１の電池付き壁紙１が取付けられる外面は、平坦である。
押さえ部材４４は、箱状の本体４４ａの側面から、突起４４ｂが突出している。押さえ部材４４は、樹脂等で一体に形成されている。本体４４ａ内には、配線４２が収容され、この配線４２は例えば壁２０１内に延びている。押さえ部材４４は、図示しないネジ部材等により壁２０１に固定されている。
押さえ部材４４の突起４４ｂが、電池付き壁紙１の端部を壁２０１から離れないように押さえている。
【００２８】
次に、以上のように構成された電池付き壁紙１の作用について説明する。
電池付き壁紙１の保護フィルム４０側から、光（可視光線）Ｌ１が入射する。この光Ｌ１は、オフィス２００内の照明や、オフィス２００内に入射した外光等による、比較的強度が弱い光である。
光Ｌ１の一部は、保護フィルム４０で反射される。光Ｌ１の他の一部は、保護フィルム４０を透過して、色素増感太陽電池３０で反射されたり、色素増感太陽電池３０で電力に変換されたりする。色素増感太陽電池３０は、屋内の光のような比較的強度が弱い光を用いても効率的に発電できる。
保護フィルム４０で反射された光Ｌ１は、電池付き壁紙１に対向する位置にいる使用者には青色に見える。色素増感太陽電池３０で反射された光Ｌ１は、使用者には濃い赤色に見える。保護フィルム４０の青色と色素増感太陽電池３０の濃い赤色とが重なることで、電池付き壁紙１が青紫色に見える。
【００２９】
色素増感太陽電池３０で生じた電力は、配線４２により送られ、照明等の所望の電気設備に利用される。
電池付き壁紙１が保護フィルム４０を有することで、外力等により色素増感太陽電池３０が傷付きにくくなる。
なお、保護フィルム４０を光透過性を有する黄色にした場合には、電池付き壁紙１は黄色と濃い赤色とが重なることで赤色に見える。このように、電池付き壁紙１の外観の色を調節することができる。
【００３０】
以上説明したように、本実施形態の電池付き壁紙１によれば、色素増感太陽電池３０により、屋内の光のような比較的強度が弱い光Ｌ１を用いても効率的に発電することができる。
保護フィルム４０により色素増感太陽電池３０を保護することで色素増感太陽電池３０の耐久性を高めるとともに、保護フィルム４０により電池付き壁紙１の外観を向上させることができる。
押さえ部材４４内に配線４２を収容して外部から配線４２が見えなくなるようにすることで、電池付き壁紙１の外観を向上させることができる。
なお、電池付き壁紙１は、保護フィルム４０及び押さえ部材４４の少なくとも一方を備えなくてもよい。
【００３１】
オフィス２００の床２０２や図示しない天井にも、電池付き壁紙１と同様の構成で色素増感太陽電池３０を取付けてもよい。
この場合、例えば、色素増感太陽電池３０の対極３３に反射率の高い金属板を用いたり、対極３３に白色半透明膜を付けたりしてもよい。光電極３２側から入射する光を反射させることで、オフィス２００内を明るくすることができる。
床２０２や天井にも色素増感太陽電池３０を取り付ける場合、色素増感太陽電池３０は、透明基板３１が外方に位置するように積層される。
【００３２】
なお、本実施形態の電池付き壁紙１は、以下に説明するようにその構成を様々に変形させることができる。以下では、電池付き壁紙１が保護フィルム４０及び押さえ部材４４を備えない場合で説明する。
図４に示す変形例の電池付き壁紙１のように、壁紙１Ａにおける色素増感太陽電池３０を取付ける外面１Ａ２が正弦波状の波形に形成され、この外面１Ａ２にシート状の色素増感太陽電池３０が取付けられていてもよい。この場合、色素増感太陽電池３０は外面１Ａ２に沿って正弦波状の波形の曲面状に形成される。
この変形例の電池付き壁紙１によれば、壁２０１の外面に沿う方向Ｘの単位長さ当たりに設けられる色素増感太陽電池３０の長さが増加する。したがって、色素増感太陽電池３０が平坦である場合に比べて、色素増感太陽電池３０による発電量を増加させることができる。
【００３３】
図５に示す変形例の電池付き壁紙１の壁紙１Ａの外面１Ａ３は、矩形波形のような凹凸形状に形成されている。この外面１Ａ３に、シート状の色素増感太陽電池３０が取付けられ、色素増感太陽電池３０が矩形波形になっていている。図６に示す変形例の電池付き壁紙１の壁紙１Ａの外面１Ａ４は、三角波形のような凹凸形状に形成されている。この外面１Ａ４に、シート状の色素増感太陽電池３０が取付けられ、色素増感太陽電池３０が三角波形になっていている。
図５及び６に示す変形例の電池付き壁紙１においても、図４に示す変形例の電池付き壁紙１と同様の効果を奏することができる。
【００３４】
なお、壁２０１の電池付き壁紙１が取付けられる外面が波形、矩形波形、及び三角波形に形成されている場合には、壁２０１の外面にシート状の電池付き壁紙１を取付けるだけで、壁２０１の外面が平坦である場合に比べて、色素増感太陽電池３０による発電量を増加させることができる。
【００３５】
（第２実施形態）
次に、本発明の第２実施形態について図７を参照しながら説明するが、前記実施形態と同一の部位には同一の符号を付してその説明は省略し、異なる点についてのみ説明する。
図７に示すように、本実施形態の電池付き机１１は、机１１Ａの例えば脚部５０の外面５０ａが正弦波状の波形である曲面状に形成されている。色素増感太陽電池３０は、机１１Ａの外面５０ａ上に外面５０ａに沿って接着剤等により取付けられている。すなわち、色素増感太陽電池３０は曲面状に形成されている。
色素増感太陽電池３０は、透明基板３１が外方に位置するように机１１Ａに積層される。
【００３６】
このように構成された電池付き机１１では、光Ｌ１がある入射角度で色素増感太陽電池３０に入射したときに、色素増感太陽電池３０の一部である要素３０ａがこの光Ｌ１に対向する。一方で、光Ｌ１の入射角度が変化して光Ｌ３となった場合にも、色素増感太陽電池３０の一部である要素３０ｂがこの光Ｌ１に対向する。
以上説明したように、本実施形態の電池付き机１１によれば、屋内の光で効率的に発電することができる。さらに、色素増感太陽電池３０が平坦である場合に比べて、色素増感太陽電池３０による発電量を増加させることができる。
また、色素増感太陽電池３０に入射する光の入射角度が変化しても色素増感太陽電池３０の一部の要素が入射する光に対向しやすくなるため、光の入射角度により発電量が変化するのを抑制することができる。
【００３７】
なお、本実施形態では、脚部５０の外面が平坦に形成され、この脚部５０の外面に、曲面状に形成された色素増感太陽電池３０を接着剤等により取付けてもよい。
机１１Ａにおける色素増感太陽電池３０が取付けられる外面は脚部５０の外面５０ａに限定されず、机１１Ａの天板の上面、幕板の外面等でもよい。
屋内用具が机１１Ａであるとしたが、屋内用具は仕切り、棚、椅子、天井等でもよい。
【００３８】
（第３実施形態）
次に、本発明の第３実施形態について図８を参照しながら説明するが、前記実施形態と同一の部位には同一の符号を付してその説明は省略し、異なる点についてのみ説明する。
図８に示すように、本実施形態の電池付き仕切り１２は、仕切り１２Ａと、仕切り１２Ａの主面５７ａに取付けられた色素増感太陽電池３０と、仕切り１２Ａの縁部に設けられた縁部材５５と、を備えている。色素増感太陽電池３０は、透明基板３１が外方に位置するように仕切り１２Ａに積層される。
仕切り１２Ａは公知の構成のものであり、板状の仕切り本体５７と、仕切り本体５７を支持する脚部５８（図１参照）とを有している。仕切り本体５７及び脚部５８は、金属や樹脂等で形成されている。
【００３９】
色素増感太陽電池３０は、仕切り本体５７の主面５７ａに取付けられている。
縁部材５５は、箱状の本体５５ａの側面から、一対の突起５５ｂが突出している。縁部材５５は、一対の突起５５ｂで仕切り１２Ａ及び色素増感太陽電池３０の縁部を挟むように取付けられている。
色素増感太陽電池３０に電気的に接続された配線４２は、本体５５ａ内に収容されて引き回されている。
以上説明したように、本実施形態の電池付き仕切り１２によれば、縁部材５５内に配線４２を収容して外部から配線４２が見えなくなるようにすることで、電池付き仕切り１２の外観を向上させることができる。
【００４０】
なお、本実施形態では屋内用具が仕切り１２Ａであるとしたが、屋内用具は障子であってもよい。この場合、障子紙に代えて色素増感太陽電池を用い、縁部材が障子では框や桟になる。
【００４１】
（第４実施形態）
次に、本発明の第４実施形態について図９を参照しながら説明するが、前記実施形態と同一の部位には同一の符号を付してその説明は省略し、異なる点についてのみ説明する。
図９に示すように、本実施形態の電池付き仕切り１３は、仕切り１２Ａと、仕切り１２Ａの主面５７ａに取付けられた色素増感太陽電池３０と、色素増感太陽電池３０に電気的に接続された雄型コネクタ（第一のコネクタ）６０及び雌型コネクタ（第二のコネクタ）６１を備えている。色素増感太陽電池３０は、透明基板３１が外方に位置するように仕切り１２Ａに積層される。
仕切り１２Ａの仕切り本体５７は、矩形の板状に形成されている。この例では、仕切り本体５７における上下方向に延びる第一の縁部（縁部）５７ｂに、雄型コネクタ６０が取付けられている。仕切り本体５７における上下方向に延びる第二の縁部（縁部）５７ｃに、雌型コネクタ６１が取付けられている。第一の縁部５７ｂと第二の縁部５７ｃとは、仕切り本体５７における互いに反対側となる縁部であり、互いの長さは等しい。仕切り本体５７の下端から雄型コネクタ６０の中心までの距離Ｍ１と、仕切り本体５７の下端から雌型コネクタ６１の中心までの距離Ｍ２とは等しい。
【００４２】
このように構成された電池付き仕切り１３を一対用意し、一対の電池付き仕切り１３の一方を電池付き仕切り１３Ｂ、他方を電池付き仕切り１３Ｃとそれぞれ称する。
電池付き仕切り１３Ｂ、１３Ｃを、電池付き仕切り１３Ｂの仕切り１２Ａの第二の縁部５７ｃと電池付き仕切り１３Ｃの仕切り１２Ａの第一の縁部５７ｂとが重なって接触するように並べる。すなわち、電池付き仕切り１３Ｂに対して電池付き仕切り１３Ｃを、互いの仕切り１２Ａの主面５７ａが同一平面上になる位置Ｐ１に並べる。
このときに、電池付き仕切り１３Ｂの雌型コネクタ６１と電池付き仕切り１３Ｃの雄型コネクタ６０とが接触するため、雌型コネクタ６１と雄型コネクタ６０とが電気的に接続される。
【００４３】
以上説明したように、本実施形態の電池付き仕切り１３によれば、太陽電池付き屋内用具１３Ｂ、１３Ｃを仕切り１２Ａの縁部５７ｂ、５７ｃ同士が接触するように並べると雄型コネクタ６０と雌型コネクタ６１とが電気的に接続されるため、太陽電池付き屋内用具１３Ｂ、１３Ｃ間を容易に電気的に接続することができる。
【００４４】
（第５実施形態）
次に、本発明の第５実施形態について図１０を参照しながら説明するが、前記実施形態と同一の部位には同一の符号を付してその説明は省略し、異なる点についてのみ説明する。
図１０に示すように、本実施形態の電池付き棚１４は、棚１４Ａと、棚１４Ａの棚板６５（図１参照）上に取付けられた複数の色素増感太陽電池３０と、各色素増感太陽電池３０に電気的に接続された総合検出部６６と、を備えている。色素増感太陽電池３０は、透明基板３１が外方に位置するように棚１４Ａに積層される。
【００４５】
複数の色素増感太陽電池３０は、棚１４Ａ上に並べて配置されている。各色素増感太陽電池３０は、例えば後述する本Ｂ１、Ｂ２、Ｂ３の幅と同じ幅に設定され、それぞれ色素増感太陽電池３０ｃ、３０ｄ、３０ｅとなっている。
総合検出部６６は、複数の検出部６６ａと、処理部６６ｂとを有している。検出部６６ａ及び処理部６６ｂは、演算回路及びメモリ等を有している。
検出部６６ａは、色素増感太陽電池３０の数（この例では３つ）設けられていて、各検出部６６ａは、色素増感太陽電池３０の図示しない一対の端子に接続されている。一対の端子は、色素増感太陽電池３０で生じた電力を外部に取出すための部材である。
すなわち、一の検出部６６ａが接続されている色素増感太陽電池３０と、他の一の検出部６６ａが接続されている色素増感太陽電池３０とは、互いに異なる。
【００４６】
検出部６６ａは、一対の端子間に生じる起電力を検出する。検出部６６ａのメモリには一定の起電力閾値が記憶されている。検出部６６ａの演算回路は、メモリから起電力閾値を読出し、この起電力閾値と検出した起電力とを比較する。検出部６６ａの演算回路は、検出した起電力が起電力閾値以上のときは起電力が大きいことを表す信号を、検出した起電力が起電力閾値未満のときは起電力が小さいことを表す信号を、処理部６６ｂに送信する。
処理部６６ｂは、各検出部６６ａから送信された信号に基づいて、本Ｂ１〜Ｂ３の利用を表す表示等をする。
【００４７】
次に、以上のように構成された電池付き棚１４の作用について説明する。
なお、各色素増感太陽電池３０上に本Ｂ１〜Ｂ３が置かれていないときには、オフィス２００の天井に設けられた図示しない照明から各色素増感太陽電池３０に光Ｌ５が入射するとする。一方で、各色素増感太陽電池３０上に本Ｂ１〜Ｂ３が置かれているときには、本Ｂ１〜Ｂ３に反射されることで色素増感太陽電池３０に光Ｌ１０が入射しない。
使用者は、本Ｂ１の利用が終わったときには、その本Ｂ１を棚板６５の色素増感太陽電池３０ｃ上に置くように取決めされている。同様に、本Ｂ２、Ｂ３については、色素増感太陽電池３０ｄ、３０ｅ上に置くように取決めされている。
【００４８】
前述の起電力閾値は、色素増感太陽電池３０上に本Ｂ１〜Ｂ３が置かれているときの色素増感太陽電池３０の起電力よりも大きく、色素増感太陽電池３０上に本Ｂ１〜Ｂ３が置かれていないときの色素増感太陽電池３０の起電力よりも小さい値である。
色素増感太陽電池３０上に本Ｂ１〜Ｂ３が置かれているか否かに応じて、色素増感太陽電池３０は起電力が大きい又は小さいことを表す信号を処理部６６ｂに送信する。処理部６６ｂは、送信された信号に基づいて、本Ｂ１〜Ｂ３が利用されているか否かを表す表示を表示部にする。
【００４９】
以上説明したように、本実施形態の電池付き棚１４によれば、色素増感太陽電池３０上に本Ｂ１〜Ｂ３が置かれていない場合に比べて、色素増感太陽電池３０上に本Ｂ１〜Ｂ３が置かれている場合には、色素増感太陽電池３０の一対の端子間に生じる起電力が低下する。この起電力の変化を検出部６６ａで検出することで、色素増感太陽電池３０上に本等が置かれているか否かを検出することができる。
【００５０】
（第６実施形態）
次に、本発明の第６実施形態について図１１を参照しながら説明するが、前記実施形態と同一の部位には同一の符号を付してその説明は省略し、異なる点についてのみ説明する。
図１１に示すように、本実施形態の電池付き棚１５は、棚１４Ａと、棚１４Ａの天板７０の天面（外面）７０ａ上に取付けられた色素増感太陽電池３０と、色素増感太陽電池３０に電気的に接続された表示部７５とを備えている。色素増感太陽電池３０は、透明基板３１が外方に位置するように棚１４Ａに積層される。
色素増感太陽電池３０は、配線４２により表示部７５に電気的に接続されている。色素増感太陽電池３０で生じた電力は、表示部７５に供給される。
表示部７５は、例えば公知の液晶パネル７５ａ等を有している。表示部７５は、例えば棚１４Ａの天板７０に取付けられる。表示部７５は、色素増感太陽電池３０から電力を供給されている間、表示部７５に表示Ｓ１を行う。この場合、色素増感太陽電池３０と表示部７５とを接続する配線４２の引き回しが短くなる。
【００５１】
以上のように構成された電池付き棚１５では、オフィス２００の天井に設けられた照明から最も近い棚１４Ａの外面は一般的に棚１４Ａの天面７０ａであるため、色素増感太陽電池３０により効率的に発電が行われる。
以上説明したように、本実施形態の電池付き棚１５によれば、色素増感太陽電池３０に接続された配線４２を棚１４Ａの範囲内で引き回して色素増感太陽電池３０で生じた電力を表示部７５に供給する。棚１４Ａの外部に配線４２が延びなくても済むため、配線４２の調節をすることなく電池付き棚１５を容易に移動させることができる。
【００５２】
なお、本実施形態では、棚１４Ａの外面が天板７０の天面７０ａであるとした。しかし、棚１４Ａの外面はこれに限られず、側板７１の側面７１ａや、背板７２の背面７２ａ等でもよい。
【００５３】
（第７実施形態）
次に、本発明の第７実施形態について図１２を参照しながら説明するが、前記実施形態と同一の部位には同一の符号を付してその説明は省略し、異なる点についてのみ説明する。
図１２に示すように、本実施形態の電池付き椅子１６は、椅子１６Ａと、椅子１６Ａの後述する背もたれ部８７の背面８７ａ、及び座部８６の上面８６ａに取付けられた色素増感太陽電池３０と、椅子１６Ａに取付けられた蓄電池８０、駆動部８１、及び制御部８２とを備えている。なお、図１２では、背もたれ部８７の背面８７ａに取付けられた色素増感太陽電池３０を破断して示している。色素増感太陽電池３０は、透明基板３１が外方に位置するように背もたれ部８７や座部８６に積層される。
【００５４】
椅子１６Ａは公知の構成のものであり、脚部８５と、脚部８５の上端部に支持された座部８６と、座部８６の縁部から立設する背もたれ部８７とを有している。
脚部８５の下端部に取付けられた複数のキャスター８５ａ内には、モータ等である駆動部８１がそれぞれ内蔵されている。各駆動部８１がキャスター８５ａを回転させることで、電池付き椅子１６を所望の方向に移動させることができる。
蓄電池８０は、色素増感太陽電池３０に電気的に接続され、色素増感太陽電池３０で生じた電力を貯える。
制御部８２は、図示はしないがＧＰＳ（Global Positioning System）や加速度センサ等を有する位置検出部と、キーボード等の入力部と、主制御部とを有している。
位置検出部は、電池付き椅子１６の現在位置を検出する。
【００５５】
このように構成された電池付き椅子１６では、使用者は、入力部から電池付き椅子１６を移動させたい先の位置（目的位置）を入力する。主制御部は、公知の経路探索アルゴリズムを用いて、現在位置から目的位置までの移動経路を求める。そして、求めた移動経路に基づいて蓄電池８０に蓄えられた電力を各駆動部８１に供給することで、電池付き椅子１６を目的位置に移動させる。
以上説明したように、本実施形態の電池付き椅子１６によれば、電池付き椅子１６を自動的に目的位置に移動させることができる。そして、使用者が椅子１６Ａを目的位置に移動させるという手間を省くことができる。
【００５６】
なお、本実施形態の電池付き椅子１６では、背もたれ部８７の前面８７ｂに電極９１を設け、この電極９１を蓄電池８０に電気的に接続してもよい。電池付き椅子１６の使用者が椅子１６Ａに座ると、この電極９１が使用者の肩や腰等に接触することで、使用者に電気エネルギーによる刺激を与えることができる。
背もたれ部８７の前面８７ｂに図示しないヒータを設けて、このヒータで使用者の肩や腰等を加熱してもよい。
例えば、ガラス等の透明又は半透明の保護部材を座部８６の上面８６ａに取付けて、この保護部材で使用者が椅子１６Ａに座ったときの荷重を受けるように構成してもよい。色素増感太陽電池３０は、保護部材よりも下方であってこの保護部材から離間した位置に配置したり、保護部材の下面に取付けて色素増感太陽電池３０よりも下方を開放したりする。
このように構成することで、使用者が電池付き椅子１６に座ったときに、座部８６の上面８６ａにある色素増感太陽電池３０が使用者の体重を受けにくくなり、色素増感太陽電池３０が壊れるのが抑えられる。
【００５７】
（第８実施形態）
次に、本発明の第８実施形態について図１３を参照しながら説明するが、前記実施形態と同一の部位には同一の符号を付してその説明は省略し、異なる点についてのみ説明する。
図１３に示す本実施形態の電池付きシート２におけるシート２Ａは、例えばポスターである（以下、ポスター２Ａと称する）。電池付きシート２は、ポスター２Ａと、ポスター２Ａに取付けられた色素増感太陽電池３０と、色素増感太陽電池３０に電気的に接続された人感センサ９５及び注意喚起部９６と、を備えている。色素増感太陽電池３０は、透明基板３１が外方に位置するようにポスター２Ａに積層される。
【００５８】
ポスター２Ａの主面２Ａ１には、絵や文字等の表示Ｓ３（図１参照）が描かれている。
人感センサ９５は、赤外線等を用いた公知の構成のものである。人感センサ９５は、人感センサ９５の前にいる人を検出し、人を検出した結果を表す信号を注意喚起部９６に送信する。
注意喚起部９６は、例えばＬＥＤを有して、ＬＥＤが発する光により人の注意を喚起するものである。人感センサ９５及び注意喚起部９６は、色素増感太陽電池３０により電力を供給されて動作する。
電池付きシート２は、壁２０１に取付けた状態で使用される。
【００５９】
次に、以上のように構成された電池付きシート２の作用について説明する。
電池付きシート２の人感センサ９５の前を人が通ると、人感センサ９５は人を検出する。検出した信号が注意喚起部９６に送信され、注意喚起部９６が光を発する。注意喚起部９６から発せられた光に気づいた人は、注意喚起部９６の方を向き、ポスター２Ａの表示Ｓ３が目に入る。
以上説明したように、本実施形態の電池付きシート２によれば、電池付きシート２の前を人が通ったときに、人の注意を喚起してポスター２Ａの表示Ｓ３を視認させることができる。
【００６０】
なお、本実施形態では注意喚起部９６は、光により人の注意を喚起するものであるとしたが、注意喚起部９６の構成はこれに限定されない。例えば、注意喚起部がブザーを有して、ブザーが発する音により人の注意を喚起するものであってもよい。
シートはポスターであるとしたが、シートはこれに限定されずカレンダー等でもよい。
【００６１】
なお、電池付き柱１７では、柱１７Ａに色素増感太陽電池３０が巻き付けられた状態で取付けられる。
【００６２】
（第９実施形態）
次に、本発明の第９実施形態について図１４及び１５を参照しながら説明するが、前記実施形態と同一の部位には同一の符号を付してその説明は省略し、異なる点についてのみ説明する。
図１４は、本実施形態の様々な電池付き用具が配置されている和室２０５を示している。
和室２０５内には、壁２０６上に、カーテン３Ａを用いた電池付きカーテン（電池付き用具）３、障子４Ａを用いた電池付き障子（電池付き用具）４、及び、照明５Ａを用いた電池付き照明（電池付き用具）５が取付けられている。カーテン３Ａ、障子４Ａ、及び照明５Ａは、屋内用具を構成する家具である。色素増感太陽電池３０は、透明基板３１が外方に位置するようにカーテン３Ａ、障子４Ａ、及び照明５Ａに積層される。
以下では、まずカーテン３Ａを用いた電池付きカーテン３について説明する。
【００６３】
図１５に示すように、本実施形態の電池付きカーテン３は、カーテン３Ａと、カーテン３Ａの外面３Ａ１上に取付けられた色素増感太陽電池３０と、を備えている。
カーテン３Ａは、ポリエステル等の化学繊維や綿等で形成された公知の構成のものである。カーテン３Ａは、レールに吊り下げられて外力が作用しない自然状態では、波形になっている。
色素増感太陽電池３０は、カーテン３Ａに取付けられることで、波形になっている。
本実施形態の電池付きカーテン３によれば、波形のカーテン３Ａに色素増感太陽電池３０が取付けられていることで、所定の領域内に配置される色素増感太陽電池３０の受光面の面積を増加させ、色素増感太陽電池３０による発電量を増加させることができる。
【００６４】
（第１０実施形態）
次に、本発明の第１０実施形態について図１６を参照しながら説明するが、前記実施形態と同一の部位には同一の符号を付してその説明は省略し、異なる点についてのみ説明する。
図１６に示すように、本実施形態の電池付きカーテン６は、第９実施形態の電池付きカーテン３の各構成に加えて、レール１００と、レール１００に沿って移動可能に支持されたランナー１０１と、ランナー１０１をレール１００に沿って移動させる駆動部１０２と、色素増感太陽電池３０に電気的に接続され、色素増感太陽電池３０で生じた電力を貯える蓄電池１０３と、駆動部１０２を制御する制御部１０４と、光センサ１０５と、を備えている。色素増感太陽電池３０は、透明基板３１が外方に位置するようにカーテン３Ａに積層される。
【００６５】
レール１００は、凹部１００ａ、及び、凹部１００ａの開口を狭める一対の係止部１００ｂが形成されている公知の構成のものである。レール１００は、所定の方向に延び、和室２０５の壁２０６や符号を省略した天井にネジ部材等で固定される。
ランナー１０１は、レール１００の凹部１００ａ内に配置された本体１０１ａと、本体１０１ａから下方に向かって延びる腕部１０１ｂとを有している。本体１０１ａはレール１００の凹部１００ａ内に配置されるとともに一対の係止部１００ｂにより下方から支持されている。腕部１０１ｂは、一対の係止部１００ｂの間を通って下方に向かって延びている。腕部１０１ｂには、符号を省略した貫通孔が形成されている。
ランナー１０１内には、送電配線１０１ｃが設けられている。送電配線１０１ｃは、色素増感太陽電池３０で生じた電力を送る。
【００６６】
ランナー１０１の貫通孔内には、金属で形成されたフック１０７が挿通され、ランナー１０１にフック１０７が吊り下げられている。ランナー１０１にフック１０７が吊り下げられることで、フック１０７と送電配線１０１ｃとが電気的に接続される。
フック１０７には、カーテン３Ａにおけるレール１００が延びる方向の第一の端部が吊り下げられる。フック１０７にカーテン３Ａが吊り下げられることで、フック１０７とカーテン３Ａに取付けられた色素増感太陽電池３０とが、電気的に接続される。カーテン３Ａにおけるレール１００が延びる方向の第二の端部は、レール１００に固定される。
【００６７】
駆動部１０２は、図示しないモータ及びローラを組み合わせたものであり、ランナー１０１の本体１０１ａ内に配置されている。ローラは、レール１００の凹部１００ａの内面に接触している。モータを正転、逆転させることで、レール１００に対してランナー１０１が、レール１００が延びる方向の一方、他方にそれぞれ移動する。
送電配線１０１ｃの少なくとも一部は、レール１００内に収容され、送電配線１０１ｃは蓄電池１０３に電気的に接続されている。蓄電池１０３は制御部１０４に接続され、制御部１０４は光センサ１０５に電気的に接続されている。
【００６８】
光センサ１０５は公知の構成のものであり、光Ｌ７を検出する受光面１０５ａを有している。光センサ１０５は、受光面１０５ａで検出された光Ｌ７の強度が所定の閾値以上か否かを検出し、検出結果を制御部１０４に送信する。
【００６９】
次に、以上のように構成された電池付きカーテン６の作用について説明する。
色素増感太陽電池３０に光が当たる等により色素増感太陽電池３０が発電しているときには、色素増感太陽電池３０で生じた電力は、フック１０７及び送電配線１０１ｃを通して蓄電池１０３に送られる。蓄電池１０３は、送られた電力を蓄える。
制御部１０４は、光センサ１０５から受信した検出結果に基づいて、蓄電池１０３に貯えられた電力を駆動部１０２に供給して、ランナー１０１をレール１００に沿って移動させる。
例えば、光センサ１０５で検出した光Ｌ７の強度が所定の閾値以上のときに、ランナー１０１をレール１００が延びる方向の第二の端部に移動させて、カーテン３Ａを束ねるように移動させて開ける。一方で、光Ｌ７の強度が閾値未満のときに、ランナー１０１をレール１００の第一の端部に移動させて、カーテン３Ａを広げるように移動させて閉める。
【００７０】
以上説明したように、本実施形態の電池付きカーテン６によれば、レール１００内に送電配線１０１ｃを収容して外部から送電配線１０１ｃが見えなくなるようにすることで、電池付きカーテン６の外観を向上させることができる。
光センサ１０５の受光面１０５ａで検出された光Ｌ７の強度が所定の閾値以上か否かに基づいて、ランナー１０１に吊り下げられたカーテン３Ａを移動させることができる。
【００７１】
なお、この蓄電池１０３は本実施形態だけでなく、これまで説明してきた全ての実施形態の電池付き用具に備えられてもよい。このように構成することで、色素増感太陽電池３０が発電していないときでも、蓄電池に貯えられた電力を利用することができる。
【００７２】
（第１１実施形態）
次に、本発明の第１１実施形態について図１７を参照しながら説明するが、前記実施形態と同一の部位には同一の符号を付してその説明は省略し、異なる点についてのみ説明する。
図１７に示すように、本実施形態の電池付き障子４は、障子４Ａと、障子４Ａに取付けられた色素増感太陽電池３０と、を備えている。電池付き障子４は、障子紙に代えて色素増感太陽電池３０を取付けている。組子、框、及び桟等の棒状部材１１０は、前述の縁部材５５のように箱状に形成され、棒状部材１１０内に色素増感太陽電池３０の配線４２が収容されている。
このように、本実施形態の電池付き障子４によれば、棒状部材１１０内に配線４２を収容して外部から配線４２が見えなくなるようにすることで、電池付き障子４の外観を向上させることができる。
【００７３】
なお、電池付き照明５においては、電池付き照明５を構成する照明５Ａの傘の外面や内面等に色素増感太陽電池３０が取付けられる。
照明５Ａに取付ける調光センサに代えて、色素増感太陽電池３０を用いてもよい。色素増感太陽電池３０は、入射する光の強度に応じて起電力が変化するため、この起電力を他の回路で検出することで、色素増感太陽電池３０を調光センサとして用いることができる。
このように構成することで、調光センサが不要となるので、電池付き照明の製造に要するコストを低減させることができる。
照明５Ａに取付ける色素増感太陽電池３０の対極３３に反射率の高い金属板（金属箔）を用いてもよい。光電極３２側から入射する光を反射させることで、照明５Ａの光を所望の向きに集めてオフィス２００内を明るくすることができる。
【００７４】
電池付き照明の光源として蛍光灯が用いられている場合には、色素増感太陽電池３０が濃い赤色であっても、以下のように設定してもよい。すなわち、蛍光灯の光を色素増感太陽電池３０に通すことで自然光と似た色に見えるように、色素増感太陽電池３０の色を設定する。
このように構成することで、電池付き照明で照明されるものを見ても、目が疲れにくくなる。
【００７５】
以上、本発明の第１実施形態から第１１実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
色素増感太陽電池３０で生じた電力は、例えばＵＳＢ（Universal Serial Bus）電源、照明（直接照明、間接照明も含む）、非常灯、温度調節、センサー用の電源、表示器の電源、光感知センサー等に利用することができる。
【００７６】
屋内用具が机である場合には、机に色素増感太陽電池を取付ける方法として、以下のものが挙げられる。デスクマットの下に挿入すること、貼付けること、吊り下げること、屏風のように縦置きすること、脚等に巻き付けること、脚の間を橋渡しすること等である。
色素増感太陽電池で生じた電力の用途としては、以下のものが挙げられる。ＵＳＢ電源、読書灯、人感センサー、空席の信号発信、空気清浄機、ＤＣファン、持出し図書センサ（本にＩＣタグ）、図書信号発信、そして、受付けカウンター等において電子ペーパーで受付け番号を表示すること等である。
【００７７】
屋内用具が棚である場合には、棚に色素増感太陽電池を取付ける方法として、以下のものが挙げられる。面ファスナー、テープを用いること等である。
色素増感太陽電池で生じた電力の用途としては、以下のものが挙げられる。照度センサー、表示電源、独立電源、すだれ、本の焼け防止用等である。
【００７８】
屋内用具がカーテン（ブラインド）である場合には、カーテンに色素増感太陽電池を取付ける方法として、以下のものが挙げられる。色素増感太陽電池を細長く形成し、色素増感太陽電池をつるす紐を導線にすること、超音波溶着部に孔を開けて紐を通すこと、２方向でロールするロールスクリーン方式にすること、端部の正負極を交互に重ねて折り込むこと、カーテンフックを導線にすること、屏風状に立てること、天板に組み込むこと等である。
色素増感太陽電池で生じた電力の用途としては、充電、ファンを回す電源、シェード、色違いデザイン、照明用電源、のれん等である。
【００７９】
屋内用具が仕切りである場合には、色素増感太陽電池で生じた電力の用途としては、調光、２枚の色素増感太陽電池でパターンをずらして調光すること、のれん、人感検知センサー、表示機能、照明、充電等である。
【００８０】
屋内用具が椅子である場合には、椅子に色素増感太陽電池を取付ける方法として、光透過性を有する布の下に配置、接着剤、面ファスナー、磁石等が挙げられる。
色素増感太陽電池で生じた電力の用途としては、ファンを回して蒸れなくすること、暖かくすること、移動補助、電動リクライニング、デバイスの電源、人検知センサーの電源、椅子の脚で充電できる、空気清浄機、加湿器等である。
【００８１】
屋内用具が天井である場合には、天井に色素増感太陽電池を取付ける方法として、すだれ状に（必要に応じて照明を避けるために曲面を設けて）設置すること、通気ダクトを避けるための段差をつけること、エアコンの風避け用に傾斜をつけて設置すること、天井パネルと一体型にすること、アクリル板と天井との間に色素増感太陽電池を取付けること、つり天井のつりの部分の金具を利用して配線すること等が挙げられる。
色素増感太陽電池で生じた電力の用途としては、照明が切れたときのセンサー、非常用照明、換気ファン、空気清浄機等である。
【００８２】
屋内用具が照明である場合には、照明に色素増感太陽電池を取付ける方法として、接着剤、ネジ止め、部材と一体化する、壁に取付けるときの磁石、面ファスナー、照明取付け治具を利用、水槽に取付けるときの紐と配線を一体化、バスの屋根に取付けるときのガビョウ、粘着剤等が挙げられる。
色素増感太陽電池で生じた電力の用途としては、照度センサー、発電、非常用電源、照度調整、照明の色を変える、調光、ファンを回すこと、蛍光灯の紐を光らせること、空気清浄機、加湿器等が挙げられる。
【産業上の利用可能性】
【００８３】
本発明の太陽電池付き屋内用具によれば、屋内の光で効率的に発電することができる。
【符号の説明】
【００８４】
１    電池付き壁紙（太陽電池付き屋内用具）
１Ａ  壁紙（屋内用具）
２    電池付きシート（太陽電池付き屋内用具）
２Ａ  シート（屋内用具）
３    電池付きカーテン（太陽電池付き屋内用具）
３Ａ  カーテン
３Ａ１  外面
４    電池付き障子（太陽電池付き屋内用具）
４Ａ  障子（屋内用具）
５    電池付き照明（電池付き用具）
５Ａ  照明（屋内用具）
６    電池付きカーテン（太陽電池付き屋内用具）
７    電池付きブラインド（電池付き用具）
７Ａ  ブラインド（屋内用具）
１１  電池付き机（太陽電池付き屋内用具）
１１Ａ  机（屋内用具）
１２、１３  電池付き仕切り（太陽電池付き屋内用具）
１２Ａ  仕切り（屋内用具）
１４、１５  電池付き棚（太陽電池付き屋内用具）
１４Ａ  棚
３０  色素増感太陽電池
４０  保護フィルム（保護部材）
４２  配線
４４  押さえ部材
５０ａ  外面
５５  縁部材
５７ｂ  第一の縁部（縁部）
５７ｃ  第二の縁部（縁部）
６０  雄型コネクタ（第一のコネクタ）
６１  雌型コネクタ（第二のコネクタ）
６５  棚板
６６ａ  検出部
７０ａ  天面（外面）
７１ａ  側面（外面）
７２ａ  背面（外面）
１００  レール
１０１  ランナー
１０２  駆動部
１０３  蓄電池
１０４  制御部
１０５  光センサ
【図１】
2017099114.tif 000003
【図２】
2017099114.tif 000004
【図３】
2017099114.tif 000005
【図４】
2017099114.tif 000006
【図５】
2017099114.tif 000007
【図６】
2017099114.tif 000008
【図７】
2017099114.tif 000009
【図８】
2017099114.tif 000010
【図９】
2017099114.tif 000011
【図１０】
2017099114.tif 000012
【図１１】
2017099114.tif 000013
【図１２】
2017099114.tif 000014
【図１３】
2017099114.tif 000015
【図１４】
2017099114.tif 000016
【図１５】
2017099114.tif 000017
【図１６】
2017099114.tif 000018
【図１７】
2017099114.tif 000019
【国際調査報告】
2017099114.tif 000020
2017099114.tif 000021
2017099114.tif 000022
2017099114.tif 000023